(57)【特許請求の範囲】
【請求項１】
回転運動を行う第１可動部と、
該第１可動部の前記回転運動を生じさせるように前記第１可動部に駆動力を供給する第１駆動部と、
上下運動を行う第２可動部と、
該第２可動部の前記上下運動を生じさせるように前記第２可動部に駆動力を供給する第２駆動部と、を備え、
前記第１可動部が、前記第１駆動部により回転される回転軸と、該回転軸に取り付けられ、前記回転軸の軸方向に延長された歯筋面を備えた長歯車と、を備え、
前記第２可動部が、前記第２駆動部により上下運動を行う昇降体と、該昇降体に取り付けられ前記長歯車と歯合する歯車と、前記昇降体を上下運動可能に支持する支持体とを備え、
前記長歯車の延長された歯筋面の高さが、前記第２可動部の前記歯車の歯筋面の高さよりも大きく設定され、前記歯車が回転しながら前記長歯車の軸方向に沿って上下運動を行うことを特徴とするパチンコ遊技機の長歯車役物。
【請求項２】
前記第１駆動部がモータであり、
該モータが、前記長歯車の側方に、該モータの駆動軸と前記長歯車の回転軸が平行になるように配置され、
前記第１可動部が、該モータの駆動軸と同軸な回転軸を備え該モータにより直接回転される第２歯車をさらに備え、
該第２歯車の回転によって、前記長歯車の回転軸が回転されることを特徴とする、請求項１に記載のパチンコ遊技機の長歯車役物。
【発明の詳細な説明】
【技術分野】
【０００１】
本発明は、パチンコ遊技機の長歯車役物、特に、上下運動と回転運動を組み合わせることができる長歯車を備えた役物に関する。
【背景技術】
【０００２】
従来、特許文献１〜１２に示す通り、モータ等の駆動源と歯車等の伝達機構とを用いて、駆動源の動力を役物の可動部に伝達し、この可動部の動きにより遊技の演出を行い、趣向性を確保している。
【０００３】
【特許文献１】特開２００６−７５２１３号公報
【特許文献２】特開２００４−１２９８７５号公報
【特許文献３】特開２００６−１４２０６２号公報
【特許文献４】特開２００６−１４８３４号公報
【特許文献５】特開２００５−１１０７１５号公報
【特許文献６】特開２００４−１４１２１９号公報
【特許文献７】特開２００６−２１８０００号公報
【特許文献８】特開２００６−３３４１７９号公報
【特許文献９】特開平８−１９１９３４号公報
【特許文献１０】特開２００６−１８１０２６号公報
【特許文献１１】特開２００６−４２９０５号公報
【特許文献１２】特開２００４−２８３２３０号公報
【発明の開示】
【発明が解決しようとする課題】
【０００４】
しかしながら、回転運動と上下運動を組み合わせることは複雑な機構を必要とし困難であり、従来では動きが単純で趣向性に限界があった。また、パチンコ機はスペースが限られており、狭小な空間に役物を配置する必要があるが、モータが他の部材（例えば、タンクレールなど）に干渉するなどの問題が生じて、限定されたスペースで趣向性のある役物の動きを実現することが困難であった。
【０００５】
そこで、本発明は、歯車を使用して趣向性の高い可動物の運動を狭小なスペースでも実現できるパチンコ遊技機の長歯車役物を提供することを目的とする。
【課題を解決するための手段】
【０００６】
以上の課題に鑑み、本発明の請求項１に記載のパチンコ遊技機の長歯車役物は、回転運動を行う第１可動部と、該第１可動部の前記回転運動を生じさせるように前記第１可動部に駆動力を供給する第１駆動部と、上下運動を行う第２可動部と、該第２可動部の前記上下運動を生じさせるように前記第２可動部に駆動力を供給する第２駆動部と、を備え、前記第１可動部が、前記第１駆動部により回転される回転軸と、該回転軸に取り付けられ、前記回転軸の軸方向に延長された歯筋面を備えた長歯車と、を備え、前記第２可動部が、前記第２駆動部により上下運動を行う昇降体と、該昇降体に取り付けられ前記長歯車と歯合する歯車と、前記昇降体を上下運動可能に支持する支持体とを備え、前記長歯車の延長された歯筋面の高さが、前記第２可動部の前記歯車の歯筋面の高さよりも大きく設定され、前記歯車が回転しながら前記長歯車の軸方向に沿って上下運動を行うことを特徴とするものである。
本発明の請求項２に記載のパチンコ遊技機の長歯車役物は、前記第１駆動部がモータであり、該モータが、前記長歯車の側方に、該モータの駆動軸と前記長歯車の回転軸が平行になるように配置され、前記第１可動部が、該モータの駆動軸と同軸な回転軸を備え該モータにより直接回転される第２歯車をさらに備え、該第２歯車の回転によって、前記長歯車の回転軸が回転されることを特徴とするものである。
【発明の効果】
【０００７】
請求項１の発明によれば、第２可動部の歯車が長歯車に沿って回転させられながら上下運動を行う構成であり、第１駆動部と第１可動部を第２可動部に搭載しないので、第１駆動部と他の遊技部材（たとえばタンクレールなど）との干渉を回避でき、趣向性の高い第２可動部の運動を狭小なスペースでも実現できる。
【発明を実施するための最良の形態】
【０００８】
以下、本発明の実施の形態に係るパチンコ遊技機の長歯車１について図１〜図１１を参照して説明する。
【０００９】
本発明実施形態のパチンコ遊技機の長歯車役物１は、図１〜図１０に示す通り、Ｚ軸方向の軸の周りに回転運動を行う第１可動部２と、第１可動部２の回転運動を生じさせるように第１可動部２に駆動力を供給する第１駆動部３と、Ｚ軸方向に沿って上下運動を行う第２可動部４と、第２可動部４の前記の上下運動を生じさせるように第２可動部４に駆動力を供給する第２駆動部５と、を備えている。第１可動部２が、第１駆動部３により回転されられＺ軸方向に配置される回転軸２０と、この回転軸２０に取り付けられ、図１１に示すとおり回転軸２０の軸方向に延長された歯筋面６０を備えた長歯車６と、を備えている。また、第２可動部４が、第２駆動部５によりＺ軸方向に上下運動を行う昇降体４０と、昇降体４０に取り付けられ軸方向がＺ軸方向に設定される歯車４１と、昇降体４０を上下運動可能に支持する支持体４２と、を備えている。図４〜図７に示す通り、長歯車６と歯車４１とが歯合し、歯車４１が回転しながら長歯車６の軸方向（Ｚ軸方向）に沿って上下運動を行うことを特徴的な構成とする。以下、本実施形態の詳細な構造を説明する。
【００１０】
第１可動部２は、Ｚ軸方向に配置される回転軸２１と、回転軸２１に取り付けられ軸方向がＺ軸方向に設定される歯車２２と、歯車２２と歯合しＺ軸方向に配置される回転軸２３に取り付けられた歯車２４と、それらの歯車２２及び２４等を収容する歯車ベース２５と、回転軸２０の両端部を受容する一対の軸受ブッシュ２６と、軸受ブッシュ２６が嵌め込まれる取付穴２７を有する取付部２８と、を備えている。この取付部２８は一対設けてあり、１つは歯車ベース２５に備えられ、他は後述モーターべース３１に備えられている。
【００１１】
第１駆動部３は、Ｚ軸方向に配置された回転軸２１を回転駆動するモータ３０と、モータ３０を取り付けるモーターベース３１と、を備えている。モーターベース３１は歯車ベース２５に固定されている。
【００１２】
第２可動部４の昇降体４０は、光を放射する演出部７と、演出部７の上面が取り付けられるベース４３と、ベース４３に取り付けられ光を検知するフォトセンサ４４と、軸がＺ軸方向の歯車４１と歯合する歯車４５と、Ｚ軸方向の貫通孔４６ａを有するベースカバー４６と、ベースカバー４６の上側に取り付けられＸ軸方向に配置されＬ字形状に屈曲し水平板４７ａと垂直板４７ｂと貫通孔４７ｃとを備える板部４７と、垂直板４７ｂに固定される縦方向（Ｚ軸方向）に配置され縦方向の貫通孔４８ａを形成したラック４８と、ラック４８と歯合するピニオン４９ａと、ピニオン４９ａと歯合する歯車４９ｂと、を備えている。板部４７の水平板４７ａの中間部には段部が形成されている。ラック４８の歯筋面がＹ軸方向に形成され多数の歯が直線状にＺ軸方向に延在している。前述した歯車４１は歯筋面４１ａを有し、ベースカバー４６に取り付けるための取付軸４１ｂが中心に固定され、取付軸４１ｂがベースカバー４６に回転可能に支持されている。
【００１３】
第２可動部４の支持体４２は、昇降体４０を上下に摺動させるように支持する角形の板状体であって、長手方向がＸ軸方向、短手方向がＹ軸方向に設定されていて、Ｚ軸方向にも延び出している。この支持体４２は、縦方向（Ｚ軸方向）に伸び出す軸１４２及び１４３と、軸１４２及び１４３の上下端部をそれぞれ固定するボス１４４と、光を検知するフォトセンサ１４５と、を備えている。軸１４２が貫通孔４６ａと貫通孔４７ｃとを貫通していて、軸１４２に沿って、ベースカバー４６及び板部４７が摺動する構成である。また、軸１４３が貫通孔４８ａを貫通していて、軸１４３に沿って、ラック４８が上下に摺動する構成である。
【００１４】
第２駆動部５は、Ｙ軸方向に配置され歯車４９ｂの中心が固定される駆動軸５０と、駆動軸５０を回転させるモータ５１と、モータ５１を固定するモータベース５２と、を備えている。
【００１５】
長歯車６は、前記の歯筋面６０の他、上面に形成される頂面６１と、下面に形成される底面６２と、中央を貫通する貫通孔６３と、を備えている。この歯筋面６０と、歯車４１の歯筋面とが接触しながら、歯車が上下方向（Ｚ軸方向）に移動し、長歯車６のＲ方向への回転が歯車４１に伝達され、歯車４１がＲ方向と反対方向に回転する構成である。
【００１６】
長歯車６の歯筋面６０がＺ軸方向に延び出しており、図１１に示す通り、歯筋面６０の高さＨ1が歯車４１の歯筋面４１ａの高さＨ2よりも大きく設定されている。比率は適宜設定され得る。図では比率は１２．６であるが、３〜１５が例示される。また、歯筋面６０の高さＨがＺ軸方向に長く設定され、ピッチ面の直径Ｄよりも大きく設定されている。図１１に示す、長歯車６の歯筋面の高さＨ1と、歯先円の直径Ｄ1との比率が、２．４であるが、たとえば、１．３〜５の範囲で設定され得る。また、長歯車６の歯先円の直径Ｄ1が、歯車４１の歯先円の直径Ｄ2よりも小さく設定されているが、その大小関係や比率も適宜設定され得る。前記で述べた種々の比率は、例示であって、設計条件によって種々の範囲をとりうるものであり、上記に限定されるわけではない。
【００１７】
演出部７は、歯車４５に固定される反射板ベース７０と、ベース４３に固定されるＬＥＤ基板７１と、反射板ベース７０に固定されＬＥＤ基板７１からの光を反射する反射体７２を有する反射板７３と、反射板ベース７０とＬＥＤ基板７１と反射板７３とを被覆する透明または半透明のカバー７４と、を備えている。また、ＬＥＤ基板７１にはＬＥＤ７５とコネクタ７６とが形成されている。演出部７は、たとえば、裏機構板のタンクレール（図示略）の下部に配置され、遊技者が遊技盤面上で昇降動作する演出部７を視認できるようになっている。反射板ベース７０と反射板７３とがＬＥＤ基板７１の周囲を回転するように配置されている。また、反射板ベース７０と反射板７３は、ＬＥＤ基板７１とともに上下方向に昇降する。
【００１８】
〔実施形態の動作〕
本実施形態に係る長歯車役物１の動作の一例につき図面を参照して説明する。長歯車役物１は必要に応じて遊技盤に対して縦置き、横置き、傾斜置きのいずれでも配置できる。ここでは初期状態が図３の下降状態であるとする。モータ３０が駆動すると、歯車２２が回転し、歯車２２の回転に伴い歯車２４が回転し、歯車２４の回転に伴い長歯車６が回転する。一方、モータ５１が駆動すると、駆動軸５０が回転し、歯車４９ｂが回転する。この歯車４９ｂの回転に伴いピニオン４９ａが回転する。ピニオン４９ａの回転に伴い、ラック４８が軸１４３に沿って摺動しながらＺ軸方向の上方向に上昇し、同時に、板部４７も軸１４２に沿って摺動しながらＺ軸方向の上方向に上昇する。これによって、昇降体４０が支持体４２に沿ってＺ軸方向の上方向に上昇する。また、昇降体４０に取り付けられた歯車４１と歯車４５は回転しながら上方向に上昇する。
【００１９】
歯車４１の歯筋面４１ａが長歯車６の歯筋面６０と歯合した状態を維持しながら、長歯車６の回転により歯車４１が回転し、また、歯車４１が長歯車６の軸方向に沿ってＺ軸方向の上方向に上昇することができる。このとき、歯車４１の昇降及び／又は回転に伴い、歯車４５も昇降及び回転し、これにより、反射板ベース７０と反射板７３とが回転し、ＬＥＤ７５から発光された光が、回転及び昇降する反射板７３で反射され、遊技者の目に入るようになっている。上下運動と回転運動は、それらの運動及び停止を適宜組み合わせることで趣向性が高まる。例えば、図４に示すように歯車４１が所定の上限位置まで上昇すると、その後は、歯車４１の上昇運動が停止するか、または、下降に転じてもよい。上下運動を間欠的に行っても良いし、上下運動の工程を変化させてもよい。また、歯車４１は回転し続けてもよいし、適宜、停止してもよい。
【００２０】
〔実施形態の効果〕
本実施形態の長歯車役物１によれば、長歯車６の軸方向に沿って歯車４１が回転しながら昇降することにより、演出部７の演出効果を高め、趣向性の高い多種多様な演出が可能となる。また、図２等に示す通り、昇降及び回転する演出部７の上部にある板部４７上に第１可動部２及び第１駆動部３が搭載されていない構造としたので、板部４７上面に何らの装置もないため、第１可動部２及び第１駆動部３と、第２可動部４が一体になって移動することを解消できる。これにより、第１可動部２或いは第１駆動部３が、遊技部材、たとえば、裏機構盤のタンクレール等に干渉したり、衝突したりすることを回避でき、長歯車役物１を、従来設置が困難であった狭小なスペースにも設置することができる。さらに、演出効果を高めたにもかかわらず、長歯車役物１のスペースを小さくすることができるとともに、長歯車役物１の歯車等の機構部品を低減することができる。さらに、昇降体４０が、Ｘ軸方向に間隙を置いてＺ軸方向に設置された平行な２本の軸１４２及び１４３で安定して支持されているので、歯車４１が長歯車６に沿って回転及び昇降を行っても、歯車４１と長歯車６の歯合が安定かつ円滑に行われる。
【００２１】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。例えば、演出部７の構成は実施形態に限定されるわけではなく、回転運動と上下運動とを組み合わせることができれば、光を用いない演出も可能である。演出部７の昇降運動の機構にラック４８とピニオン４９ａを用いたが、これに限らず、他の機構を採用してもよい。
【図面の簡単な説明】
【００２２】
【図１】本発明実施形態の長歯車役物の斜視図である。
【図２】同実施形態の長歯車役物の別角度から見た斜視図（ベースを取り外した状態）である。
【図３】同実施形態の長歯車役物の下降状態での正面図である。
【図４】同実施形態の長歯車役物の上昇状態での正面図である。
【図５】同実施形態の長歯車役物の底面図である。
【図６】同実施形態の長歯車役物の平面図である。
【図７】同実施形態の長歯車役物の平面図（カバーを取り外した状態）である。
【図８】同実施形態の長歯車役物の右側面図である。
【図９】同実施形態の長歯車役物の第１駆動部及び第１可動部の分解斜視図である。
【図１０】同実施形態の長歯車役物の第２駆動部及び第２可動部の分解斜視図である。
【図１１】同実施形態の長歯車と第２可動部の歯車の歯合状態を示す斜視図である。
【符号の説明】
【００２３】
１・・・長歯車役物  ２・・・第１可動部  ２０・・・回転軸  ２１・・・回転軸
２２・・・歯車  ２３・・・回転軸  ２４・・・歯車  ２５・・・歯車ベース
２６・・・軸受ブッシュ  ２７・・・取付穴  ２８・・・取付部  ３・・・第１駆動部
３０・・・モータ  ３１・・・モーターベース  ４・・・第２可動部  ４０・・・昇降体
４１・・・歯車  ４１ａ・・・歯筋面  ４１ｂ・・・取付軸  ４２・・・支持体
４３・・・ベース  ４４・・・フォトセンサ  ４５・・・歯車  ４６・・・ベースカバー
４７ａ・・・水平板  ４７ｂ・・・垂直板  ４７ｃ・・・貫通孔  ４７・・・板部
４８ａ・・・貫通孔  ４８・・・ラック  ４９ａ・・・ピニオン  ４９ｂ・・・歯車
１４２，１４３・・・軸  １４４・・・ボス  １４５・・・フォトセンサ
５・・・第２駆動部  ５０・・・駆動軸  ５１・・・モータ  ５２・・・モータベース
６・・・長歯車  ６０・・・歯筋面  ６１・・・頂面  ６２・・・底面
６３・・・貫通孔  ７・・・演出部  ７０・・・反射板ベース  ７１・・・ＬＥＤ基板
７２・・・反射体  ７３・・・反射板  ７４・・・カバー  ７５・・・ＬＥＤ
７６・・・コネクタ
【図１】
0005210002.tif 000002
【図２】
0005210002.tif 000003
【図３】
0005210002.tif 000004
【図４】
0005210002.tif 000005
【図５】
0005210002.tif 000006
【図６】
0005210002.tif 000007
【図７】
0005210002.tif 000008
【図８】
0005210002.tif 000009
【図９】
0005210002.tif 000010
【図１０】
0005210002.tif 000011
【図１１】
0005210002.tif 000012